(57)【要約】【課題】不要になった光ディスクを廃棄する際に、該光ディスクに記録されたデータが外部に流出することを防止するために、光ディスクのデータ領域を損傷することにより、記録されているデータの判読を阻止し、データが流出すること防止する。【解決手段】光ディスク１のデータ領域を損傷する剣山状の損傷部２１を有するデータ破壊手段２と、前記データ破壊手段２によって形成されるデータ破壊領域Ｘ内に光ディスク１を搬送するとともに、少なくとも破壊領域Ｘ内において前記光ディスク１を前記剣山状の損傷部２１側に圧接する機能を有する搬送手段３と、この搬送手段３の後段に設けられ、処理された光ディスク１を収納する収納手段４と、この収納手段４の上部に位置し、処理済の光ディスク１を前記収納手段４の所定位置に案内する案内手段５と、これらを一体的に収納するとともに、処理する光ディスク１を搬入する搬入口６２を備えた容器６とから成り、前記データ破壊手段２および収納手段４を前記容器６からそれぞれ独立して取り出し可能に構成する。【選択図】図１
2004178740.tif 000002
【特許請求の範囲】
【請求項１】
光ディスクのデータ領域を損傷する剣山状の損傷部を有するデータ破壊手段と、前記データ破壊手段によって形成されるデータ破壊領域内に光ディスクを搬送するとともに、少なくともデータ破壊領域内において前記光ディスクを前記剣山状の損傷部側に圧接する機能を有する搬送手段と、この搬送手段の後段に設けられ、前記破壊領域内において処理された光ディスクを収納する収納手段と、この収納手段の上部に位置し、処理済の光ディスクを前記収納手段の所定位置に案内する案内手段と、これらを一体的に収納するとともに、処理する光ディスクを搬入する搬入口を備えた容器とから成り、前記データ破壊手段および収納手段を前記容器からそれぞれ独立して取り出し可能に構成したことを特徴とする光ディスクのデータ破壊装置。
【請求項２】
光ディスクのデータ領域を損傷する剣山状の損傷部を有するデータ破壊手段と、前記データ破壊手段によって形成されるデータ破壊領域内に光ディスクを搬出入するとともに、少なくとも破壊領域内において前記光ディスクを前記剣山状の損傷部側に圧接する機能を有する搬送手段と、これらを一体的に収納するとともに、処理する光ディスクを搬入する搬入口および処理後の光ディスクを搬出する搬出口とを備えた容器とから成ることを特徴とする光ディスクのデータ破壊装置。
【請求項３】
前記データ破壊手段を、前記容器から取り出し可能に構成ことを特徴とする請求項２に記載の光ディスクのデータ破壊装置。
【請求項４】
前記データ破壊手段の剣山状の損傷部の先端が、前記データ破壊領域内において光ディスク側に０．５〜１ｍｍ侵食するように形成したことを特徴とする請求項１乃至請求項４のいずれか１つに記載の光ディスクのデータ破壊装置。
【発明の詳細な説明】
【０００１】
【発明の属する技術分野】本発明は、不要になった光ディスクを廃棄する際に、該光ディスクに記録されたデータが流出することを防止する光ディスクのデータ破壊装置に関し、特に光ディスクのデータ領域を損傷することにより、記録されているデータの判読を阻止し、データが流出すること防止するようにしたものである。
【０００２】
【従来の技術】一般に光ディスク、例えば１回だけデータを書き込めるＣＤ−Ｒは、データの保存用などに使用されているものである。そして、その構造は、図６に示されるようなものである。図６において、ＣＤ−Ｒ１は、その形状がディスク（円盤）状であり、その内部構造は、レーザが照射される側から、ポリカーボネイトなどからなる基板１１、有機色素層１２、金メッキなどからなる反射層１３、保護膜層１４および印刷ラベル層１５という順序で形成されている。そして、レーザ光を基板１１側から有機色素層１２に向けて照射すると、照射された部分の有機色素が化学反応を起こして光が反射しにくい物質に変化するという現象を利用してデータピットの記録が行なわれる。すなわち、ＣＤ−Ｒは上記の化学変化によってできた部分をピットとして捕らえ、意味としては、ＣＤ−ＲＯＭのピットと同じ意味を持たせ、データをピットとして記録するものである。このようにして形成されたピットは、光の位相差で反射率が低下し、これによってデータを記録することが出来る。前記のデータの記録メカニズムの特徴の一つは、反射層１３を有機色素層１２に密着したままでピットを形成出来る事にある。光反射率が高く、読出パワーがある程度大きくても、しきい値以下なら記録ピットは損傷されない、という特徴をもつ。又機械的強度もある。
【０００３】以上の事からＣＤ−Ｒなどの光ディスクは、データの保存の点からは優れている反面、データを容易には消すことができなく、このような光ディスクを利用している企業では、書き込んだ後に不要になった光ディスクを捨てられなくて困っている。
【０００４】この対策として従来では、データを消去する光ディスクをモータによって回転されるディスク台の上に載置し、データ消去用の刃が取り付けられたスライダーを、ボールネジの回転に伴い外周部に向けて移動するように設け、前記ボールネジを回転駆動用モータにより回転させ、前記スライダーと刃を外周部に向けて移動して行き光ディスク面の書込部分を切削するようにしたものがある（例えば、特許文献１参照）。
【０００５】また、不要になった光ディスクを装置内に挿入するための挿入口と、摂氏８０度乃至１５０度の熱を加えるようにする熱ローラーと、挿入された光ディスクに対して前記熱ローラーと一体となって圧接しながら内部に搬送するようにする圧力兼駆動ローラーと、装置内の各部に電気的エネルギーを供給する電源と、データが破壊されたＣＤ−Ｒをストックするためのストッカーを備えた光ディスク消去装置がある（例えば、特許文献２参照）。
【０００６】
【特許文献１】
実開平５−９０６１２号公報
【特許文献２】
特開平１０−２１４４２４号公報
【０００７】
【発明が解決しようとする課題】しかし、前者の特許文献１記載の構成では、処理の際、一々光ディスクをディスク台の上にセットするとともに、スライダーと刃を内周部に向けて移動させる必要があり、その手間が煩雑で、処理に時間がかかる他、ディスク台回転用と、ボールネジ回転用に個別にモータが必要であり、勢い高価なものとなる。
【０００８】また、後者の特許文献２記載の構成では、摂氏８０度乃至１５０度の高熱を用いており、その取り扱いに注意を要するとともに、熱源が必要であり、勢い装置構成が煩雑かつ大型となる傾向がある他、高価なものとなる、などといった課題があった。
【０００９】また一方では光ディスク市場は大きく伸びており、さらに普及が見込まれているため、簡単にして安価なこの種装置の出現の要望が従来から強く出されていた。
【００１０】本発明は、上述した問題を解決するためになされたものであり、不要になった光ディスクを廃棄する際に、熱源を用いず、効果的に能率よく記録されたデータ領域を損傷することにより、記録されているデータの判読を阻止し、データが流出すること防止するようにした光ディスクのデータ破壊装置を提供することを目的とする。
【００１１】
【課題を解決するための手段】かかる目的を達成するため、請求項１記載の発明では、光ディスクのデータ領域を損傷する剣山状の損傷部を有するデータ破壊手段と、前記データ破壊手段によって形成されるデータ破壊領域内に光ディスクを搬送するとともに、少なくともデータ破壊領域内において前記光ディスクを前記剣山状の損傷部側に圧接する機能を有する搬送手段と、この搬送手段の後段に設けられ、前記破壊領域内において処理された光ディスクを収納する収納手段と、この収納手段の上部に位置し、処理済の光ディスクを前記収納手段の所定位置に案内する案内手段と、これらを一体的に収納するとともに、処理する光ディスクを搬入する搬入口を備えた容器とから成り、前記データ破壊手段および収納手段を前記容器からそれぞれ独立して取り出し可能に構成する。
【００１２】請求項１記載の発明では、不要になった光ディスクを廃棄する際、容器の搬入口から光ディスクを装置内に入れ、搬送手段により該光ディスクを、データ破壊領域内において剣山状の損傷部側に圧接しながら通過されるので、データ破壊手段によって該光ディスクのデータ領域の略全面に亘って損傷され、記録されているデータの判読が出来なくなる。その後、処理済の該光ディスクは案内手段により収納手段の所定位置に案内され収納される。
【００１３】請求項２記載の発明では、光ディスクのデータ領域を損傷する剣山状の損傷部を有するデータ破壊手段と、前記データ破壊手段によって形成されるデータ破壊領域内に光ディスクを搬出入するとともに、少なくとも破壊領域内において前記光ディスクを前記剣山状の損傷部側に圧接する機能を有する搬送手段と、これらを一体的に収納するとともに、処理する光ディスクを搬入する搬入口および処理後の光ディスクを搬出する搬出口とを備えた容器とから構成した、ことを特徴とするデータ破壊装置である。
【００１４】請求項２記載の発明では、不要になった光ディスクを廃棄する際、容器の搬入口から光ディスクを装置内に入れ、搬送手段により該光ディスクを、少なくともデータ破壊領域内において剣山状の損傷部側に圧接しながら通過されるので、データ破壊手段によって該光ディスクのデータ領域の略全面に亘って損傷され、記録されているデータの判読が出来なくなる。その後、該光ディスクは前記搬送手段により搬出口から装置外部に搬出される。
【００１５】請求項３記載の発明では、前記データ破壊手段を、前記容器から取り出し可能に構成した、ことを特徴とする請求項２に記載の光ディスクのデータ破壊装置
【００１６】請求項３記載の発明では、データ破壊手段を、容器から取り出し可能に構成しているので、光ディスクのデータ領域を損傷する際に発生する削り屑の除去や、データ破壊手段の損傷部の点検、保守や取替えが簡単にでき都合が良い。
【００１７】請求項４記載の発明では、前記データ破壊手段の剣山状の損傷部の先端が、前記データ破壊領域内において光ディスク側に０．５〜１ｍｍ侵食するように形成した、ことを特徴とする請求項１乃至請求項４のいずれか１つに記載の光ディスクのデータ破壊装置である。
【００１８】請求項４記載の発明では、光ディスクのデータ領域の少なくとも有機色素層および／または反射層を効率よく損傷することができ、記録されているデータの判読が出来なくなる他、余分な削り屑の発生がなく都合が良い。
【００１９】
【発明の実施の形態】以下、本発明の実施の形態を図１乃至図４および図６に基づき説明する。
【００２０】図１は、本発明の実施の形態による光ディスクのデータ破壊装置の概略正面断面図、図２は、図１の矢印Ａ−Ｂ視概略平面断面図ある。このデータ破壊装置は、光ディスク１のデータ領域を損傷するデータ破壊手段２と、光ディスク１を搬送する搬送手段３と、この搬送手段３の後段に設けられ、前記データ破壊手段２により処理された光ディスク１を収納する収納手段４と、この収納手段４の上部に位置し、処理済の光ディスク１を前記収納手段４の所定位置に案内する案内手段５と、これらを一体的に収納する容器６とから構成されている。
【００２１】前記データ破壊手段２は、光ディスク１の有機色素層１２および／または反射層１３からなるデータ領域を損傷する剣山状の損傷部２１を備えている。このデータ破壊手段２は、例えば図３に示すように多数の針２２を台座２３に樹立し、その先端により剣山状の損傷部２１を構成し、これによりデータ破壊領域Ｘが形成される。この剣山状の損傷部２１の先端は、図４に拡大して示すように前記データ破壊領域Ｘ内において光ディスク１側にｈ＝０．５〜１ｍｍ侵食するようにするのが好ましい。２４はこれらを収納する上部が開放された箱体で、この箱体２４の下部には、フランジ２５が必要に応じて設けられている。このフランジ２５は、データ破壊手段２を前記容器６に収納および取り出す際、容器６に設けられたガイド６１と共同して所定位置に案内するために利用される。
【００２２】前記光ディスク１を搬送する搬送手段３は、前記データ破壊手段２によって形成されるデータ破壊領域Ｘ内に光ディスク１を搬送するとともに、少なくともデータ破壊領域Ｘ内において前記光ディスク１を前記剣山状の損傷部２１側に圧接する機能を備えており、この例では、光ディスク１の搬送路の下側に設けられた複数個の受け側のローラー３１と、上側に設けられたベルトコンベアー方式の駆動機構３２とからなり、この駆動機構３２により光ディスク１を前記剣山状の損傷部２１側に圧接するように形成されている。この駆動機構３２は、図示しないハンドルを回転することにより駆動すればよい。また、大量に光ディスク１を処理する場合には、ハンドルに変えて別途小型のモータにより駆動するようにしても良いのは勿論である。更には、上側の駆動機構３２として、ベルトコンベアー方式のものに変え、その表面に滑り止めのためにエンボス処理などが施された複数のローラー状の駆動用ローラー方式としても良いのは勿論である。
【００２３】前記収納手段４は、前記搬送手段３の後段に設けられ、前記破壊領域Ｘ内において処理されて搬送されてくる光ディスク１が、その上部に設けられた案内手段５により案内され、光ディスク１のセンタホール１６が支柱４１を貫通する位置に配設されている。収納手段４は、処理済の光ディスク１を廃棄するために、前記容器６から取り出し可能に構成されており、例えば引き手４２が設けられている。なお、この収納手段４２としては、例えば新品の光ディスク１を複数枚収納しているバルクケースなどを流用しても良いのは勿論である。
【００２４】前記容器６は、前記データ破壊手段２、搬送手段３、収納手段４および案内手段５を一体的に収納するとともに、前述の通り前記データ破壊手段２および収納手段４をこの容器６からそれぞれ独立して取り出し可能に構成されている。６２は処理する光ディスク１を搬入する搬入口、６３は前記収納手段４を所定位置に位置決めするストッパー、６４は前記データ破壊手段２を取り出すための取出口である。
【００２５】次に、このように構成された光ディスクのデータ破壊装置の動作を説明する。
【００２６】先ず、廃棄処理する光ディスク１を容器６の搬入口６２に挿入し、搬送手段３を駆動する。例えば、図示しないハンドルを回転させて駆動機構３２を駆動して該光ディスク１を、図１および図２に矢印で示すように、紙面右方向に搬送する。搬送された光ディスク１は、データ破壊手段２の剣山状の損傷部２１により形成されたデータ破壊領域Ｘに導かれるとともに、このデータ破壊領域Ｘおいて、図示例では駆動機構３２により前記損傷部２１側に圧接された状態で搬送される。これにより、光ディスク１の少なくとも有機色素層１２および／または反射層１３からなるデータ領域は損傷される。前述の処理によりデータ領域が損傷された光ディスク１は、案内手段５により収納手段４の所定位置に案内され収納される。その後、容器６から収納手段４を取出し処理済の光ディスク１が廃却処分されるが、このようにしてデータ領域が損傷された光ディスク１は、結果的に、記録されているデータの判読は出来なくなる。従って、光ディスク１に記録されたデータが流出することは防止できる。なお、通常、光ディスク１は、基板１１面側に比較して保護膜層１４は、その厚みが薄く、機械的に弱いので印刷ラベル層１５側が、データ破壊手段２の剣山状の損傷部２１に位置するように搬入するのが好ましい。
【００２７】以上のような実施の形態では、不要になった光ディスク１を廃棄する際に、極めて単純な構成で、しかも熱源などを用いずに、効果的に能率よく記録されたデータ領域を損傷することができ、従って、記録されているデータの判読を阻止し、データが外部に流出すること防止することができる。また、処理済の光ディスク１は、順次収納手段４に収納されてるので、纏めて破棄することが出来る。
【００２８】次に、図５に示す別の実施の形態について説明する。この形態では、前述した実施の形態のものから、収納手段４および案内手段５を省略したものである。なお、図５において図１乃至図４および図６と同じ符号を付した部分は略同一のものを示す。以下相違点を中心に説明する。
【００２９】このデータ破壊装置は、光ディスク１の光ディスク１のデータ領域を損傷する剣山状の損傷部２１を有するデータ破壊手段２と、前記データ破壊手段２によって形成されるデータ破壊領域Ｘ内に光ディスク１を搬送するとともに、少なくとも破壊領域Ｘ内において前記光ディスク１を前記剣山状の損傷部２１側に圧接する機能を有する搬送手段３と、これらを一体的に収納する容器６とから構成されている。なお、図中６５は処理後の光ディスク１を搬出する搬出口、６６は、データ破壊手段２を取出口に設けられた扉である。
【００３０】次に、このように構成された光ディスクのデータ破壊装置の動作を説明する。先ず、廃棄処理する光ディスク１を容器６の搬入口６２に挿入し、搬送手段３を駆動する。例えば、図示しないハンドルを回転させて駆動機構３２を駆動して該光ディスク１を、図５に矢印で示すように、紙面右方向に搬送する。搬送された光ディスク１は、データ破壊手段２の剣山状の損傷部２１により形成されたデータ破壊領域Ｘに導かれるとともに、このデータ破壊領域Ｘおいて、図示例では駆動機構３２により前記損傷部２１側に圧接された状態で搬送される。これにより、光ディスク１の少なくとも有機色素層１２および／または反射層１３からなるデータ領域は損傷される。前述の処理によりデータ領域が損傷された光ディスク１は、容器６の搬出口６５から搬出され廃却処分されるが、このようにしてデータ領域が損傷された光ディスク１は、結果的に、記録されているデータの判読は出来なくなる。従って、光ディスク１に記録されたデータが流出することは防止できる。
【００３１】以上のような実施の形態では、不要になった光ディスク１を廃棄する際に、極めて単純な構成で、しかも熱源などを用いずに、効果的に能率よく記録されたデータ領域を損傷することができ、従って、記録されているデータの判読を阻止し、データが外部に流出すること防止することができる。また、前述の実施の形態のものから収納手段４と案内手段５とが省略されているので、装置全体がより小型安価なものとなる。
【００３２】なお、上述した各実施の形態は、本発明の好適な実施の形態の例であるが、これに限定されるものではなく、本発明の要旨を逸脱しない範囲において、種々変形実施可能である。
【００３３】また、本発明は前述したＣＤ−Ｒの他、ＣＤ−ＲＯＭ、ＤＶＤなど何れの光ディスク、すなわち再生専用型、記録型の追記型および書き換え可能型にも適用することができ、記録されたデータが外部に流出するのを防止できる。
【００３４】
【発明の効果】以上説明したように、請求項１記載の発明では、不要になった光ディスクを廃棄する際に、極めて単純な構成で、しかも熱源などを用いずに、効果的に能率よく記録されたデータ領域を損傷することができ、従って、記録されているデータの判読を阻止し、データが外部に流出すること防止することができる。また、処理済の光ディスクは、収納手段に収納されているので纏めて破棄することが出来る。この際、データの流出を心配することが不要になるという効果を奏する。
【００３５】また、請求項２記載の発明では、記録されているデータの判読を阻止し、データが外部に流出すること防止することができるのは勿論のこと、装置全体がより小型安価なものとなる。
【００３６】また、請求項３記載の発明では、データ破壊手段を、容器から取り出し可能に構成しているので、光ディスクのデータ領域を損傷する際に発生する削り屑の除去や、データ破壊手段の損傷部の点検、保守や取替えが簡単にでき都合が良い。
【００３７】請求項４記載の発明では、光ディスクのデータ領域の少なくとも有機色素層および／または反射層を効率よく損傷することができ、記録されているデータの判読が出来なくなる他、余分な削り屑の発生がなく都合が良い。
【図面の簡単な説明】
【図１】本発明による光ディスクのデータ破壊装置の概略正面断面図である。
【図２】図１の矢印Ａ−Ｂ視概略平面断面図ある。
【図３】図１のデータ破壊装置に使用されるデータ破壊手段を示す正面断面図である。
【図４】図３のデータ破壊手段の先端部を拡大して示す拡大図である。
【図５】本発明の他の実施の形態による光ディスクのデータ破壊装置の概略正面断面図である。
【図６】光ディスクの一部を拡大して示す一部拡大断面図である。
【符号の説明】
１    光ディスク（ＣＤ−Ｒ）
１１  基板
１２  有機色素層
１３  反射層
１４  保護膜層
１５  印刷ラベル層
２    データ破壊手段
２１  剣山状の損傷部
３    搬送手段
４    収納手段
５    案内手段
６    容器
６２  搬入口
６５  搬出口
Ｘ    データ破壊領域
【図１】
2004178740.tif 000003
【図２】
2004178740.tif 000004
【図３】
2004178740.tif 000005
【図４】
2004178740.tif 000006
【図５】
2004178740.tif 000007
【図６】
2004178740.tif 000008